(57)【要約】【課題】  昇降機の運行において発生した問題の原因の特定から改善策の策定までのプロセスをより円滑に行い、このプロセスにかかる時間及び工数を削減する。【解決手段】  本発明の昇降機の運行状態表示装置は、表示部と、描画部と、変更指示生成部とを備える。描画部は、昇降機の運行状態に関する情報を含む第１の情報と、運行状態の表示態様を構成する要素の表示態様を示す第２の情報とを取得して、運行状態を表示させるための描画データを生成する。変更指示生成部は、第１の情報と、昇降機の運行中の所定の事象の発生要因に関する第３の情報とを取得し、第１及び第３の情報に基づいて所定の事象の発生を検出した場合に所定の事象に関連する要素の表示態様を変更する指示を出力する。描画部は、指示が入力された場合には、指示に対応する所定の事象に関連する要素の表示態様を変更する。【選択図】  図１
2020169083.tif 000002
【特許請求の範囲】
【請求項１】
昇降機の運行状態を表示可能な表示部を備える昇降機の運行状態表示装置において、
前記昇降機の運行状態に関する情報を含む第１の情報と、前記運行状態の表示態様を構成する要素の表示態様を示す第２の情報とを取得して、前記運行状態を前記表示部に表示させるための描画データを生成する描画部と、
前記第１の情報と、前記昇降機の運行中の所定の事象の発生要因に関する第３の情報とを取得し、前記第１の情報及び前記第３の情報に基づいて前記所定の事象の発生を検出した場合に前記所定の事象に関連する前記要素の表示態様を変更する指示を生成し、当該指示を前記描画部に出力する変更指示生成部と、を備え、
前記描画部は、前記指示が入力された場合には、前記指示に対応する前記所定の事象に関連する前記要素の表示態様を変更する
ことを特徴とする昇降機の運行状態表示装置。
【請求項２】
前記第３の情報には、前記所定の事象に関連する前記要素及び当該要素の表示態様の変更内容が対応付けられ、
前記描画部に入力される前記指示には、前記所定の事象に関連する要素及び当該要素の表示態様の変更内容に関する情報が含まれる
ことを特徴とする請求項１に記載の昇降機の運行状態表示装置。
【請求項３】
前記表示部には、複数の昇降機の運行状態が表示可能であり、
前記第３の情報には、前記昇降機の移動方向における所定の範囲内に前記複数の昇降機のうちの２以上の昇降機が存在することを示す情報が含まれる
ことを特徴とする請求項２に記載の昇降機の運行状態表示装置。
【請求項４】
前記変更指示生成部は、前記所定の範囲内に前記２以上の昇降機が存在する場合には、前記２以上の昇降機の昇降路を表す前記要素の前記所定の範囲に対応する部分の色を変更する旨の前記指示を生成する
ことを特徴とする請求項３に記載の昇降機の運行状態表示装置。
【請求項５】
前記第３の情報には、前記昇降機の所定動作の状態が予め定められた動作の状態と異なることを示す情報が含まれる
ことを特徴とする請求項２に記載の昇降機の運行状態表示装置。
【請求項６】
前記変更指示生成部は、
前記昇降機の走行時間が所定の閾値より長い場合には、前記昇降機の昇降路を表す前記要素の色を変更する旨の前記指示を生成し、
前記昇降機の扉の開放時間が特定の閾値より長い場合には、前記昇降機の扉を表す前記要素の色を変更する旨の前記指示を生成し、
前記昇降機の乗降時間が規定の閾値より長い場合には、前記昇降機の乗りかごを表す前記要素の色及び前記昇降機の扉を表す前記要素の色の少なくとも一方を変更する旨の前記指示を生成する
ことを特徴とする請求項５に記載の昇降機の運行状態表示装置。
【請求項７】
前記第３の情報には、前記昇降機の非移動時間が所定の閾値を超えていることを示す情報が含まれる
ことを特徴とする請求項２に記載の昇降機の運行状態表示装置。
【請求項８】
前記変更指示生成部は、前記昇降機の非移動時間が前記所定の閾値より長い場合には、前記昇降機の乗りかごを表す前記要素の色を変更する旨の前記指示を生成する
ことを特徴とする請求項７に記載の昇降機の運行状態表示装置。
【請求項９】
前記第１の情報には、前記昇降機の扉の前に存在する人の数に関する情報が含まれ、
前記第３の情報には、前記昇降機の扉の前に存在する人の数が所定人数を超えていることを示す情報が含まれる
ことを特徴とする請求項２に記載の昇降機の運行状態表示装置。
【請求項１０】
前記変更指示生成部は、前記昇降機の扉の前に存在する人の数が輸送可能人数を超えた場合には、前記昇降機の扉が設けられたホールの床を表す前記要素のうち、前記昇降機の扉の前に存在する人の下に位置する床の要素部分の色を変更する旨の前記指示を生成する
ことを特徴とする請求項９に記載の昇降機の運行状態表示装置。
【請求項１１】
前記第１の情報には、前記昇降機に対して人の乗り降りが行われるホールのレイアウト情報が含まれ、
前記第３の情報には、前記昇降機への人の乗り遅れが発生していることを示す情報が含まれる
ことを特徴とする請求項２に記載の昇降機の運行状態表示装置。
【請求項１２】
前記変更指示生成部は、前記昇降機への人の乗り遅れの発生が検出された場合には、乗り遅れが発生した前記ホールの床を表す前記要素のうち、前記昇降機の扉の前の所定範囲の床の要素部分の色を変更する旨の前記指示を生成する
ことを特徴とする請求項１１に記載の昇降機の運行状態表示装置。
【請求項１３】
昇降機の運行状態を表示可能な表示部を備える昇降機の運行状態表示システムにおいて、
前記昇降機の運行状態に関する情報を含む第１の情報と、前記運行状態の表示態様を構成する要素の表示態様を示す第２の情報とを取得して、前記運行状態を前記表示部に表示させるための描画データを生成する描画部と、
前記第１の情報と、前記昇降機の運行中の所定の事象の発生要因に関する第３の情報とを取得し、前記第１の情報及び前記第３の情報に基づいて前記所定の事象の発生を検出した場合に前記所定の事象に関連する前記要素の表示態様を変更する指示を生成し、当該指示を前記描画部に出力する変更指示生成部と、
前記第１の情報、前記第２の情報及び前記第３の情報が格納された情報格納部と、を備え、
前記描画部は、前記指示が入力された場合には、前記指示に対応する前記所定の事象に関連する前記要素の表示態様を変更する
ことを特徴とする昇降機の運行状態表示システム。
【請求項１４】
昇降機の運行状態を表示可能な表示部と、前記表示部での前記運行状態の表示を制御する制御部とを備える昇降機の運行状態表示装置による運行表示方法において、
前記制御部が、前記昇降機の運行状態に関する情報を含む第１の情報と、前記運行状態の表示態様を構成する要素の表示態様を示す第２の情報とを取得して、前記運行状態を前記表示部に表示させるための描画データを生成することと、
前記制御部が、前記第１の情報と、前記昇降機の運行中の所定の事象の発生要因に関する第３の情報とを取得し、前記第１の情報及び前記第３の情報に基づいて前記所定の事象の発生を検出した場合に前記所定の事象に関連する前記要素の表示態様を変更する指示を生成することと、を含み
前記制御部が、前記指示が生成された場合には、前記指示に対応する前記所定の事象に関連する前記要素の表示態様を変更する
ことを特徴とする昇降機の運行状態表示方法。
【発明の詳細な説明】
【技術分野】
【０００１】
本発明は、昇降機の運行状態表示装置、運行状態表示システム及び運行状態表示方法に関する。
【背景技術】
【０００２】
従来、エレベーターの運行の問題点の明確化や改善策の模索などを目的に、シミュレーションやエレベーターの実機運行により得られたビル内の運行データに基づいて、エレベーターの運行状況を可視化する取り組みが行われている（例えば、特許文献１参照）。
【先行技術文献】
【特許文献】
【０００３】
【特許文献１】特開平０２−１５８５７５号公報
【発明の概要】
【発明が解決しようとする課題】
【０００４】
上述した従来技術では、現在のエレベーターの運行状況を可視化する機能は設けられているが、運行上、何らかの問題が発生している場合にその状況の発生原因を探る機能が設けられていない。そのため、その原因を特定するためには、人による推論や繰り返し観察などが必要となり、多くの時間及び工数を要する場合があった。そこで、従来、ビル内に設置された例えばエレベーター等の昇降機の運行において発生した問題の原因の特定から改善策の策定までのプロセスをより円滑に行い、このプロセスにかかる時間及び工数を削減することが求められている。
【０００５】
本発明は、上記課題を解決するためになされたものである。本発明の目的は、例えばエレベーター等の昇降機の運行において発生した問題の原因の特定から改善策の策定までのプロセスをより円滑に行い、このプロセスにかかる時間及び工数を削減可能な技術を提供することである。
【課題を解決するための手段】
【０００６】
上記課題を解決するために、本発明の昇降機の運行状態表示装置は、昇降機の運行状態を表示可能な表示部を備える昇降機の運行状態表示装置であり、描画部と、変更指示生成部とを備える。描画部は、昇降機の運行状態に関する情報を含む第１の情報と、運行状態の表示態様を構成する要素の表示態様を示す第２の情報とを取得して、運行状態を表示部に表示させるための描画データを生成する。変更指示生成部は、第１の情報と、昇降機の運行中の所定の事象の発生要因に関する第３の情報とを取得し、第１の情報及び第３の情報に基づいて所定の事象の発生を検出した場合に所定の事象に関連する要素の表示態様を変更する指示を生成して出力する。また、描画部は、指示が入力された場合には、指示に対応する所定の事象に関連する要素の表示態様を変更する。
【０００７】
また、上記課題を解決するために、本発明の昇降機の運行状態表示システムは、上記本発明の昇降機の運行状態表示装置と、第１の情報、第２の情報及び第３の情報が格納された情報格納部とを備える。
【０００８】
さらに、上記課題を解決するために、本発明の昇降機の運行状態表示方法は、昇降機の運行状態を表示可能な表示部と、表示部での運行状態の表示を制御する制御部とを備える昇降機の運行状態表示装置による運行表示方法である。制御部は、昇降機の運行状態に関する情報を含む第１の情報と、運行状態の表示態様を構成する要素の表示態様を示す第２の情報とを取得して、運行状態を表示部に表示させるための描画データを生成する。制御部は、第１の情報と、昇降機の運行中の所定の事象の発生要因に関する第３の情報とを取得し、第１及び第３の情報に基づいて所定の事象の発生を検出した場合に所定の事象に関連する要素の表示態様を変更する指示を生成する。また、制御部は、指示が生成された場合には、指示に対応する所定の事象に関連する要素の表示態様を変更する。
【発明の効果】
【０００９】
上記構成の本発明によれば、例えばエレベーター等の昇降機の運行において発生した問題の原因の特定から改善策の策定までのプロセスをより円滑に行い、このプロセスにかかる時間及び工数を削減することができる。
【図面の簡単な説明】
【００１０】
【図１】本発明の第１の実施形態に係るエレベーターの運行状態表示装置の構成を示すブロック図である。
【図２】本発明の第１の実施形態に係るエレベーターの運行状態表示装置のハードウェア構成の一例を示すブロック図である。
【図３】本発明の第１の実施形態に係るエレベーターの運行状態表示装置で使用されるモデル変更要求リストの一例を示す図である。
【図４】本発明の第１の実施形態に係るエレベーターの運行状態表示装置で表示されるエレベーターの運行状態の一表示例（通常時）を示す図である。
【図５】本発明の第１の実施形態に係るエレベーターの運行状態表示装置におけるモデル変更要求生成処理の手順を示すフローチャートである。
【図６】本発明の第１の実施形態に係るエレベーターの運行状態表示装置における運行状態描画処理の手順を示すフローチャートである。
【図７】本発明の第１の実施形態に係るエレベーターの運行状態表示装置で表示されるエレベーターの運行状態の一表示例（事象発生時）を示す図である。
【図８】本発明の第２の実施形態に係るエレベーターの運行状態表示装置の構成を示すブロック図である。
【図９】本発明の第２の実施形態に係るエレベーターの運行状態表示装置で使用されるモデル変更要求リストの一例を示す図である。
【図１０】本発明の第２の実施形態に係るエレベーターの運行状態表示装置で表示されるエレベーターの運行状態の一表示例（事象発生時）を示す図である。
【発明を実施するための形態】
【００１１】
＜第１の実施形態＞
以下に、本発明の第１の実施形態に係るエレベーターの運行状態表示装置（運行状態可視化装置）について、図面を参照しながら具体的に説明する。なお、本実施形態のエレベーターの運行状態表示装置は、エレベーターの運行計画の設計、評価等を行うためのシミュレーターとしてだけでなく、エレベーターの実機運行時の評価装置等としても適用することができる。
【００１２】
［運行状態表示装置の構成］
まず、図１を参照して、本実施形態に係るエレベーターの運行状態表示装置の構成について説明する。図１は、本実施形態のエレベーターの運行状態表示装置１００の主な機能構成を示すブロック図である。なお、図１では、説明を簡略化するため、エレベーターの運行状態（運行状況）の表示（可視化）に必要な構成部のみを示す。
【００１３】
エレベーターの運行状態表示装置１００は、図１に示すように、演算部１（制御部）と、表示部２と、データ管理部３とを備える。演算部１は、表示部２及びデータ管理部３と電気的に接続されており、データ管理部３から入力された（取得した）各種情報に基づいて、所定の演算処理を行い、その演算結果を表示部２に出力する。なお、本実施形態では、エレベーターの運行状態表示装置１００は、コンピューター装置等の計算機で構成することができる。
【００１４】
ここで、図２を参照して、運行状態表示装置１００のハードウェア構成について説明する。図２は、運行状態表示装置１００を計算機Ｃで構成した場合のハードウェアのブロック図である。
【００１５】
計算機Ｃは、バスＣ４にそれぞれ接続されたＣＰＵ（Central Processing Unit）Ｃ１、ＲＯＭ（Read Only Memory）Ｃ２及びＲＡＭ（Random Access Memory）Ｃ３を備える。さらに、計算機Ｃは、バスＣ４にそれぞれ接続された表示部Ｃ５、操作部Ｃ６、不揮発性ストレージＣ７及びネットワークインタフェースＣ８を備える。
【００１６】
ＣＰＵ Ｃ１は、計算機Ｃが備える各種機能を実現するためのソフトウェアのプログラムコードが格納されたＲＯＭ Ｃ２から所定のプログラムコードをＲＡＭ Ｃ３に読み出して実行する。この際、ＲＡＭ Ｃ３には、ＣＰＵ Ｃ１による演算処理の過程で発生した変数やパラメータなども一時的に書き込まれる。
【００１７】
表示部Ｃ５は、例えば、液晶ディスプレイ等の表示装置で構成され、計算機Ｃで行われた処理の結果等の情報を表示画面に表示して、ユーザーに報知する。操作部Ｃ６は、例えば、キーボード、マウス等の操作装置で構成され、ユーザーが計算機Ｃに対して所定の操作入力、指示を行うことができる。
【００１８】
不揮発性ストレージＣ７は、例えば、ＨＤＤ（Hard disk drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等の記憶装置で構成される。不揮発性ストレージＣ７には、ＯＳ（Operating System）、各種のパラメータの他に、計算機Ｃを機能させるための各種プログラムが記録される。
【００１９】
ネットワークインタフェースＣ８は、例えば、ＮＩＣ（Network Interface Card）等で構成される。計算機Ｃは、ネットワークインタフェースＣ８の端子に接続されたＬＡＮ（Local Area Network）、専用線等を介して各種のデータを送受信することができる。
【００２０】
本実施形態では、図１に示すエレベーターの運行状態表示装置１００中の演算部１はＣＰＵ Ｃ１に含まれ、データ管理部３はＲＯＭ Ｃ２に含まれ、表示部２は表示部Ｃ５に対応する構成部である。そして、ＣＰＵ Ｃ１は、ＲＯＭ Ｃ２に格納されている運行状態表示用のプログラムコードをＲＡＭ Ｃ３に読み出し、当該プログラムコードを実行することにより、後述の運行画面２１に表示される運行状態（各種要素モデル）の表示及び変更制御を行う。
【００２１】
［演算部］
演算部１は、エレベーターの運行状態の表示制御を行う構成部であり、機能ブロックとして、モデル変更要求生成部１１（変更指示生成部）及びモデル描画部１２（描画部）を有する。
【００２２】
モデル変更要求生成部１１は、後述のビル運行状態管理部３１に格納されたエレベーターの運行状態に関する各種情報と、後述のモデル変更要求リスト格納部３２に格納されたモデル変更要求リスト（後述の図３参照）とを入力データとして取得する。次いで、モデル変更要求生成部１１は、これらの入力データに基づいて、後述の運行画面２１に表示される後述の各種要素モデルのうちの少なくとも一部を強調表示（変更）する必要性が発生した場合、当該変更に対応するモデル変更要求信号（指示）を生成する。そして、モデル変更要求生成部１１は、生成したモデル要求変更信号をモデル描画部１２に出力する。なお、モデル変更要求生成部１１によるモデル要求変更信号の生成処理の具体的な内容については後で詳述する。
【００２３】
モデル描画部１２は、後述のビル運行状態管理部３１に格納されたエレベーターの運行状態に関する各種情報と、後述の要素モデル格納部３３に格納された運行画面２１の表示構成に必要な各種要素モデル（後述の図４参照）のデータとを入力データとして取得する。そして、モデル描画部１２は、これらの入力データに基づいて、時々刻々と変化するエレベーターの運行状態を示す運行画面２１の描画（表示）データを生成し、表示部２に出力する。
【００２４】
また、モデル描画部１２には、エレベーターの運行状態において、例えば混雑等の所定の事象（問題）が発生した場合、上記各種データ以外に、モデル変更要求生成部１１からモデル描画部１２に当該事象に対応するモデル要求変更信号が入力される。そして、モデル描画部１２は、モデル要求信号が入力された場合には、所定の事象の発生（発生場所）に関わる要素モデルの表示態様を変更する。具体的には、モデル描画部１２は、入力されたモデル要求変更信号の内容に応じて、変更対象の要素モデルの通常時（問題非発生時）の表示態様のデータを、当該要素モデルを強調表示可能な表示態様のデータに変更し、変更後の運行画面２１の描画データを生成する。なお、モデル描画部１２は、モデル要求変更信号が入力されていない場合には、要素モデルの変更表示を行わずに、通常時の要素モデルの表示態様で現在の運行状態を示す描画データを生成し、表示部２に出力する。
【００２５】
［表示部］
表示部２は、運行画面２１を有し、モデル描画部１２から入力された描画データに基づいて、エレベーターの運行状態（運行状況）を運行画面２１で表示する。なお、運行画面２１に表示されるエレベーターの運行状態の表示態様については、後で詳述する。
【００２６】
［データ管理部］
データ管理部３は、ビル運行状態管理部３１と、モデル変更要求リスト格納部３２と、要素モデル格納部３３とを有する。
【００２７】
（１）ビル運行状態管理部
ビル運行状態管理部３１には、ビル内の各設備（エレベーター等）の運行状態を示す各種情報が格納（管理）される。本実施形態では、ビル運行状態管理部３１には、エレベーターの運行状態を示す各種情報（第１の情報）が格納されたエレベーター運行状態格納部３４が少なくとも含まれる。
【００２８】
エレベーター運行状態格納部３４に格納される、エレベーターの運行状態を示す静的な情報としては、例えば、各エレベーターの定員、定格速度、エレベーターの台数等の情報が少なくとも含まれる。
【００２９】
エレベーターの運行状態を示す動的な情報としては、例えば、各時刻における各エレベーターの位置、速度、戸開状態（ドアの開閉状態）等の情報が少なくとも含まれる。また、エレベーターの運行状態を示す動的な情報として、例えば、エレベーターホールにおいてエレベーターの利用者がエレベーターを呼ぶ際に行うボタン操作（所謂、「ホール呼び」という）の有無、ホール呼び継続時間などの情報が含まれていてもよい。なお、「ホール呼び継続時間」とは、エレベーターに対してホール呼び発生階へのサービスが割り当てられてから実際にホール呼び発生階へのサービスを行うまでの時間のことである。すなわち、「ホール呼び継続時間」とは、エレベーターの利用者によりホール呼びの操作が行われてからエレベーターがホール呼び発生階に到着するまでの時間のことである。さらに、エレベーターの運行状態を示す動的な情報として、例えば、エレベーターのかご内において利用者が行先階を登録する際に行うボタン操作（所謂、「かご呼び」）の有無、乗車人数などの情報が含まれていてもよい。
【００３０】
なお、エレベーター運行状態格納部３４に格納されるエレベーターの運行状態を示す各種情報は、本実施形態の運行状態表示装置１００の用途に応じて適宜変更される。
【００３１】
例えば、運行状態表示装置１００を、エレベーターの運行計画の設計、評価等を目的とするシミュレーターとして使用する場合には、エレベーターの運行状態を示す各種情報として、設計者等により予め設定された各種情報を用いてもよい。また、運行状態表示装置１００をシミュレーターとして使用する場合には、エレベーターの運行状態を示す各種情報として、過去の実機運行時に取得された運行状態に関する各種データを使用してもよい。
【００３２】
一方、例えば、本実施形態の運行状態表示装置１００を現場（実機運行）で使用する場合には、エレベーターの運行状態を示す各種情報として、リアルタイムの各種情報をエレベーター運行状態格納部３４に格納する構成にしてもよい。また、運行状態表示装置１００を現場で使用する場合であっても、例えば、過去の運行状態の解析、運行改善等の目的で使用する場合には、過去（例えば、過去数日分）の運行状態に関する各種情報をエレベーター運行状態格納部３４に格納する構成にしてもよい。
【００３３】
（２）モデル変更要求リスト格納部及びモデル変更要求リスト
モデル変更要求リスト格納部３２には、モデル変更要求リスト（テーブル）が格納される。ここで、図３に、モデル変更要求リスト格納部３２に格納されるモデル変更要求リストの一例を示す。このモデル変更要求リストでは、各リスト番号（Ｎｏ．「１」〜「５」）において、モデル変更条件（第３の情報）と、モデル変更要求の内容とを１つの組みとしたデータセットが規定される。なお、モデル変更条件は、ビル運行状態管理部３１から取得できる各種情報に基づいて検出（条件の成立／不成立を判定）可能なものであれば、任意に設定することできる。
【００３４】
図３に示すモデル変更要求リストは、エレベーターの待ち時間が上昇するという事象（問題）の発生原因を推定することを目的とした場合に使用されるモデル変更要求リストの一例である。なお、モデル変更要求リストは、発生し得る事象の種別毎に別個に作成してもよいし、全ての事象の種別に対するモデル変更要求リストを一つのリストにまとめてもよい。例えば、エレベーターの待ち時間上昇以外の事象（問題）としては、例えば、消費電力の増大等の事象が挙げられる。また、ビル内に複数のエレベーターが設置されている場合には、エレベーター毎にモデル変更要求リストを作成してもよいし、全てのエレベーターに対するモデル変更要求リストを一つのリストにまとめてもよい。
【００３５】
図３に示すモデル変更要求リスト中の「モデル変更条件」欄には、エレベーターの待ち時間上昇の原因候補となる条件（イベント）が規定される。また、図３中の「モデル変更要求」欄には、変更対象となる要素モデル（「変更モデル」欄）と当該要素モデルの表示態様の変更内容（「変更内容」欄）とが対応付けて（ひも付けて）規定される。
【００３６】
なお、本実施形態では、要素モデルとして、例えば、かごモデル、ドアモデル、床モデル、人モデル、昇降路モデル等が用意されている。かごモデルは、運行画面２１上において表示されるエレベーターの乗りかごを表すモデルであり、ドアモデルは、運行画面２１上において表示される各フロアのエレベーターホールに設けられたエレベーターのドアを表すモデルである。床モデルは、運行画面２１上において表示されるエレベーターホールの床を表すモデルであり、人モデルは、運行画面２１上において表示されるかご内及びエレベーターホール上に存在する人を表すモデルである。また、昇降路モデルは、運行画面２１上において表示される各エレベーターの昇降路を表すモデルである。
【００３７】
リスト番号「１」のデータセットでは、「エレベーターの走行時間が交通計算値より長い」というモデル変更条件に対して、変更モデル及び変更内容としてそれぞれ「エレベーターの昇降路モデル」及び「モデル色を薄赤色に変更」が対応付けられる。それゆえ、リスト番号「１」のモデル変更条件成立時には、運行画面２１上においてエレベーターの昇降路モデルの色が薄赤色に変化する。
【００３８】
リスト番号「２」のデータセットでは、「エレベーターの戸開時間が交通計算値より長い」というモデル変更条件に対して、変更モデル及び変更内容としてそれぞれ「エレベーターのドアモデル」及び「モデル色を薄赤色に変更」が対応付けられる。それゆえ、リスト番号「２」のモデル変更条件成立時には、運行画面２１上においてエレベーターのドアモデルの色が薄赤色に変化する。
【００３９】
リスト番号「３」のデータセットでは、「エレベーターの乗降時間が交通計算値より長い」というモデル変更条件に対して、変更モデル及び変更内容としてそれぞれ「エレベーターのドアモデルとかごモデル」及び「モデル色を薄赤色に変更」が対応付けられる。それゆえ、リスト番号「３」のモデル変更条件成立時には、運行画面２１上においてエレベーターのドアモデル及びかごモデルの色が共に薄赤色に変化する。なお、この例では、エレベーターの乗降時間が交通計算値より長い場合にドアモデル及びかごモデルの両方の色を変更する例を示すが、本発明はこれに限定されない。エレベーターの乗降時間が交通計算値より長い場合には、ドアモデル及びかごモデルの一方の色を変更するようにしてもよい。
【００４０】
リスト番号「１」〜「３」のモデル変更条件で規定する「交通計算値」とは、エレベーターの定員や定格速度などの情報が与えられた際に所定の計算式に基づいて計算される走行時間、戸開時間（扉の開放時間）、乗降時間、５分間輸送人数の概算値のことである。これらの交通計算値と、ビル運行状態管理部３１から取得された情報（エレベーターの所定動作の状態に関する情報）とのずれの発生を検出することにより、エレベーターの待ち時間上昇の原因を特定することができる。
【００４１】
リスト番号「４」のデータセットでは、「エレベーターが動いていない時間が長い」というモデル変更条件に対して、変更モデル及び変更内容としてそれぞれ「エレベーターのかごモデル」及び「モデル色を青色に変更」が対応付けられる。それゆえ、リスト番号「４」のモデル変更条件成立時には、運行画面２１上においてエレベーターのかごモデルの色が青色に変化する。なお、リスト番号「４」に規定のモデル変更条件の成立／不成立は、エレベーターが動いていない時間（非移動時間）と所定の閾値とを比較して判別される。このモデル変更条件を設けることにより、例えば、エレベーター群管理の際の設定ミス等の原因により、エレベーターを効率的に動かせていないことを検出することができる。
【００４２】
また、リスト番号「５」のデータセットでは、「複数のエレベーターが一定の範囲内に存在」というモデル変更条件が規定される。そして、リスト番号「５」のデータセットでは、このモデル変更条件に対して、変更モデル及び変更内容としてそれぞれ「範囲内に存在するエレベーターの昇降路モデル」及び「エレベーターの存在範囲を薄黄色に変更」が対応付けられる。それゆえ、リスト番号「５」のモデル変更条件成立時には、運行画面２１上において複数のエレベーターが存在する一定の範囲（所定の範囲）の昇降路モデルの色が薄黄色に変化する。
【００４３】
複数のエレベーターがその移動方向において同時に同様の位置（高さ位置）で同様の動きをする場合、サービスの偏りが生じ、これにより待ち時間が上昇し易くなることが知られている。それゆえ、リスト番号「５」のモデル変更条件は、この事象（現象）の検出に利用することができる。なお、リスト番号「５」のデータセットはビル内に複数台のエレベーター（昇降路）が設けられている場合に規定されるが、ビル内のエレベーターの台数が１台である場合には、リスト番号「５」のデータセットはモデル変更要求リストで規定されない。
【００４４】
図３に示す例では、ある時刻でリスト番号「１」〜「５」のモデル変更条件の少なくとも一つが満たされた場合（エレベーターの待ち時間上昇が発生した場合）に、モデル変更要求生成部１１からモデル描画部１２にモデル変更要求が出力される。この際、出力されたモデル変更要求信号には、成立したモデル変更条件（リスト番号）に対応付けられた変更モデル及び変更内容に関する情報が含まれる。次いで、モデル描画部１２は、入力されたモデル変更要求信号に含まれる変更モデル及び変更内容に関する情報に基づいて、変更対象のモデルの描画データを変更する。この結果、ある時刻でリスト番号「１」〜「５」のモデル変更条件の少なくとも一つが満たされた場合には、運行画面２１において、変更対象の要素モデルの表示態様が、モデル描画部１２に入力されたモデル変更要求信号の内容に対応する表示態様に変化する。これにより、エレベーターの待ち時間上昇の原因候補となるイベントの発生を運行画面２１に反映させる（強調表示する）ことができる。
【００４５】
なお、図３に示す例では、リスト番号「１」〜「３」で規定するモデル変更条件の成立の有無を判定するための閾値として、交通計算値を用いる例を説明したが、本発明はこれに限定されず、必要に応じて適宜任意の閾値を設定することができる。例えば、予め定められた所定値を交通計算値の代わりに用いてもよい。
【００４６】
また、図３に示す例では、モデル変更要求リストにおいて、モデル変更条件として、問題（事象）発生の原因候補を規定する例を説明したが、本発明はこれに限定されない。問題発生以外の要因で要素モデルの表示態様を変更する必要性がある場合の任意の条件を、モデル変更条件として設定してもよい。例えば、モデル変更要求リストにおいて、問題解消時の各種条件をモデル変更条件としてもよい。この場合には、所定の問題解消条件が成立すれば、モデル変更要求信号がモデル変更要求生成部１１からモデル描画部１２に出力される。そして、モデル描画部１２は、当該モデル変更要求信号に基づいて、対応する要素モデルの表示態様を、問題発生時の表示態様から問題非発生時（通常時）の表示態様に変化させる（戻す）。
【００４７】
また、図３に示す例では、要素モデルの表示態様の変更内容を、変更対象の要素モデルの色を変更する例を説明したが、本発明はこれに限定されず、要素モデルの変更を強調表示できる態様であれば、任意の変更態様を適用することができる。例えば、変更対象の要素モデルを点滅させる、変更対象の要素モデルの形状及び／又はサイズを変化させる、事象発生を示す何らかの文字、記号等を要素モデル上又は要素モデルの近傍に表示する、等の変更態様を適用してもよい。さらに、例えば、これらの変更態様、本実施形態の変更態様（モデル色の変更）等を適宜組み合わせてよい。
【００４８】
なお、モデル変更要求リストで規定するモデル変更条件の内容（種類等）は、運行状態表示装置１００を適用するビル内の設備、構造等に応じて、適宜最適化してもよい。また、モデル変更要求リストで規定する少なくとも一部のモデル変更条件（例えば、図３中のリスト番号「５」のモデル変更条件等）については、適用するビル内の設備、構造等に関係なく、共通化するような構成にしてもよい。
【００４９】
また、図３に示す例では、要素モデルの変更後の色として、薄赤色、青色又は薄黄色が設定されているので、要素モデルの変更前（通常時）の色としては、これらの変更後の色以外の任意の色を設定することができる。
【００５０】
（３）要素モデル格納部
要素モデル格納部３３には、運行画面２１の構成に必要な各種要素モデル（運行画面構成要素モデル：要素）のパーツ群のデータ（第２の情報）が格納される。本実施形態では、上述のように、要素モデルとして、例えば、かごモデル、ドアモデル、床モデル、人モデル、昇降路モデル等が用意されている。各要素モデルには、３次元モデル（仮想３次元物体）及び２次元モデルの少なくとも一方が含まれる。なお、運行画面２１に表示される３次元モデルは、例えば、ポリゴンデータ等を用いて生成される。
【００５１】
また、要素モデルには、ビル（エレベーターホール）の床や壁などの構成を表す３次元モデルなどが含まれていてもよい。さらに、要素モデル格納部３３に格納される要素モデルとしては、ＢＩＭ（Building Information Modeling）で使用される各種モデルが含まれていてもよい。この場合、モデル描画部１２によるモデルの描画処理として、ＢＩＭで使用される描画処理に準じたものを利用することができる。
【００５２】
［運行画面の表示例］
図４に、本実施形態のエレベーターの運行状態表示装置１００で表示される運行画面２１の一例を示す。なお、図４は、通常時（問題非発生時）のエレベーターの運行状態を表示した運行画面２１の構成例である。また、図４には、ビル内に設置されているエレベーターの台数が３台（エレベーターＥ１、Ｅ２、Ｅ３）であり、ビルのフロア数が３階である例を示す。
【００５３】
この例の運行画面２１は、各エレベーターのかごモデル４０、各フロアのエレベーターホールにおけるエレベーターのドアモデル４１及び床モデル４２、並びに、かご内及びエレベーターホール上に存在する利用者を表す人モデル４３で構成される。なお、図４に示す運行画面２１の例では、説明の便宜上、各エレベーターの昇降路モデルの図示を省略する。
【００５４】
この例の運行画面２１では、１階にエレベーターが到着しておらず、１階のエレベーターホールの全てのドアが閉じられている状態が示されている。また、この例の運行画面２１では、１階と２階との間の位置にエレベーターＥ２が存在し、エレベーターＥ２のかご内には２人の乗客が存在する状態が示されている。
【００５５】
また、この例の運行画面２１では、２階にエレベーターＥ１が到着し、２階のエレベーターホールにおいてエレベーターＥ１のドアのみが開いた状態を示している。また、この例の運行画面２１では、２階のエレベーターホールにおいて、エレベーターＥ１のドア前には１人の利用者が存在（待機）し、エレベーターＥ１のかご内には１人の乗客が存在する状態が示されている。
【００５６】
また、この例の運行画面２１では、３階にエレベーターＥ３が到着し、３階のエレベーターホールにおいてエレベーターＥ３のドアのみが開いた状態を示している。さらに、この例の運行画面２１では、３階のエレベーターホールにおいて、エレベーターＥ３のドア前には２人の利用者が存在（待機）し、エレベーターＥ３のかご内には１人の乗客が存在する状態が示されている。
【００５７】
［運行画面の表示制御］
次に、本実施形態の運行状態表示装置１００による運行画面２１の表示制御（変更表示制御を含む）の内容を、図５及び図６を参照して説明する。図５は、本実施形態の運行状態表示装置１００により行われるモデル変更要求生成処理の手順を示すフローチャートである。また、図６は、本実施形態の運行状態表示装置１００により行われる運行状態描画処理の手順を示すフローチャートである。なお、図５及び図６に示す処理は、運行状態表示装置１００の作動中、時々刻々と変化するエレベーターの運行状態（運行状況）を略連続的に表示することが可能となるような所定の時間間隔で繰り返し行われる。
【００５８】
最初に、図５を参照して、モデル変更要求生成部１１（演算部１）により実行されるモデル変更要求生成処理について説明する。まず、モデル変更要求生成部１１は、ビル運行状態管理部３１（エレベーター運行状態格納部３４）に格納されたエレベーターの運行状態に関する各種情報と、モデル変更要求リスト格納部３２に格納されたモデル変更要求リストとを取得する（ステップＳ１）。
【００５９】
次いで、モデル変更要求生成部１１は、取得した運行状態に関する各種情報に基づいて、モデル変更要求リスト（図３参照）内の参照対象となるリスト番号に規定されたモデル変更条件が成立しているか否かを判定する（ステップＳ２）。
【００６０】
なお、ステップＳ２の判定処理で参照対象となるリスト番号は、１回のモデル変更要求生成処理毎に更新される。例えば、図３に示すモデル変更要求リストを用いた場合には、モデル変更要求生成部１１は、モデル変更要求生成処理毎に参照するリスト番号を「１」から「５」の順に順次更新して、ステップＳ２の判定処理を行う。それゆえ、前回のモデル変更要求生成処理において、リスト番号「１」のモデル変更条件が参照された場合には、今回のモデル変更要求生成処理では、リスト番号「２」のモデル変更条件が参照される。また、前回のモデル変更要求生成処理において、リスト番号「５」のモデル変更条件が参照された場合には、今回のモデル変更要求生成処理では、参照するリスト番号を「１」に戻し、リスト番号「１」のモデル変更条件が参照される。
【００６１】
ステップＳ２において、モデル変更要求生成部１１が、参照対象のモデル変更条件が成立していないと判定した場合（ステップＳ２がＮＯ判定の場合）、モデル変更要求生成部１１は、モデル変更要求生成処理を終了する。この場合、モデル変更要求生成部１１からモデル描画部１２に、モデル変更要求信号は出力されない。
【００６２】
一方、ステップＳ２において、モデル変更要求生成部１１が、参照対象のモデル変更条件が成立していると判定した場合（ステップＳ２がＹＥＳ判定の場合）、モデル変更要求生成部１１は、モデル変更要求信号の生成及び出力処理を行う（ステップＳ３）。なお、この処理で生成されるモデル変更要求信号には、参照対象のリスト番号に規定された変更モデル及び変更内容に関する情報（図３参照）を含まれる。例えば、図３の例において参照中のリスト番号が「３」である場合には、モデル変更要求信号に、変更モデルが「かごモデル」であることを示す情報、及び、変更内容が「モデル色を青色に変更」であることを示す情報が含まれる。そして、ステップＳ３の処理後、モデル変更要求生成部１１は、モデル変更要求生成処理を終了する。
【００６３】
なお、本実施形態では、ステップＳ２の判定処理で参照するモデル変更条件を１回のモデル変更要求生成処理毎に更新する例を説明したが、本発明はこれに限定されない。例えば、１回のステップＳ２の判定処理において、モデル変更要求リストで規定されている全てのモデル変更条件の成立／不成立をまとめて判定してもよい。
【００６４】
また、本実施形態では、運行状態表示装置１００の作動中、時々刻々と変化するエレベーターの運行状態を略連続的に表示することが可能となるような所定の時間間隔でモデル変更要求生成処理を繰り返し行う例を説明したが、本発明は、これに限定されない。例えば、モデル変更要求生成処理を、モデル描画部１２で行われる運行状態の描画処理の実行間隔（上記所定の時間間隔）より長い時間間隔で定期的に繰り返して実行してもよい。また、例えば、モデル変更の対象となる所定の事象（問題）が発生し易い時間帯にのみ、上述したモデル変更要求生成処理を実行する構成にしてもよい。これらの場合には演算部１での処理負荷を軽減することができる。
【００６５】
次に、図６を参照して、モデル描画部１２（演算部１）により実行される運行状態描画処理について説明する。まず、モデル描画部１２は、エレベーターの運行状態を反映した描画データを作成する（ステップＳ１１）。この処理では、モデル描画部１２は、ビル運行状態管理部３１（エレベーター運行状態格納部３４）に格納されたエレバーターの現在の運行状態に関する各種情報と、要素モデル格納部３３に格納された各種要素モデルのデータとを取得する。次いで、モデル描画部１２は、これらの入力データに基づいて、エレベーターの現在の運行状態の描画データを作成する。
【００６６】
次いで、モデル描画部１２は、モデル変更要求信号が入力されたか否かを判定する（ステップＳ１２）。
【００６７】
ステップＳ１２において、モデル描画部１２が、モデル変更要求信号が入力されていないと判定した場合（ステップＳ１２がＮＯ判定の場合）、モデル描画部１２は、運行状態描画処理を終了する。
【００６８】
一方、ステップＳ１２において、モデル描画部１２が、モデル変更要求信号が入力されていると判定した場合（ステップＳ１２がＹＥＳ判定の場合）、モデル描画部１２は、当該モデル変更要求信号に対応する要素モデルの表示態様を変更する（ステップＳ１３）。具体的には、モデル描画部１２は、変更対象の要素モデルの描画データを、変更内容を反映した描画データに変更する。この処理により、運行画面２１上において、発生した事象（問題）に係る要素モデルの表示態様（本実施形態では色）がモデル変更要求信号に応じた表示態様に変化する。そして、ステップＳ１３の処理後、モデル描画部１２は、運行状態描画処理を終了する。
【００６９】
本実施形態の運行状態表示装置１００では、上述のようにしてモデル変更要求生成処理及び運行状態描画処理の一連の処理を所定の時間間隔で繰り返すことにより、時々刻々と変化するエレベーターの運行状態を略連続的に可視化することができる。また、この際、所定の事象発生時には、当該事象の発生要因となる要素モデルの表示態様を強調表示（変更）することができる。
【００７０】
［運行画面の変更表示例］
図７に、所定の事象（問題）発生時のエレベーターの運行状態を表示した運行画面２１の一例を示す。なお、図７に示す運行画面２１の表示例は、図４に示した運行画面２１の表示例において、所定の事象（問題）が発生した場合の運行画面２１の変更表示例である。それゆえ、図７に示す例において、ビル内に設置されているエレベーターの台数及びビルのフロア数は図４のそれらと同様である。
【００７１】
図７に示す運行画面２１の表示例は、３階に位置するエレベーターＥ３において、図３に示すモデル変更要求リスト中のリスト番号「３」のモデル変更条件に相当する事象が発生した場合の運行状態の表示例である。すなわち、３階に到着したエレベーターＥ３においてエレベーターＥ３への乗客の乗降時間が交通計算値より長くなる事象が確認された場合の運行状態の表示例である。
【００７２】
このような事象が発生した場合、モデル変更要求リスト中のリスト番号「３」に規定されているように、エレベーターＥ３のドアモデル４１及びかごモデル４０の色を青色に変更する旨の情報が含まれたモデル変更要求信号が、モデル描画部１２に入力される。そして、モデル描画部１２は、このモデル変更要求信号に基づいて、図７に示すように、３階に位置するエレベーターＥ３のかごモデル４０及びドアモデル４１（戸開状態）の色を青色に変更して運行画面２１上に描画する。なお、図７では、説明の都合上、変更対象の要素モデルの色の変更をハッチングで示す。
【００７３】
本実施形態では、上述のようにして所定の事象（問題）発生に係る要素モデルを運行画面２１上で強調表示することができる。それゆえ、本実施形態では、上述したエレベーターの運行状態表示機能を設けることにより、運行状態表示装置１００の使用者（運行画面２１の確認者）に対して、所定の事象の発生場所及び発生要因の内容をより簡易に且つ明確に認識させることができる。その結果、運行画面２１の確認者は、例えば、エレベーターの待ち時間上昇等の事象の原因の推定を従来に比べて円滑に行うことが可能となる。すなわち、本実施形態のエレベーターの運行状態表示装置１００では、所定の事象の発生原因の特定から改善策の策定までのプロセスをより円滑に行い、このプロセスにかかる時間及び工数を削減することができる。
【００７４】
＜第２の実施形態＞
次に、本発明の第２の実施形態に係るエレベーターの運行状態表示装置（運行状態可視化装置）の内容について、図面を参照しながら具体的に説明する。なお、本実施形態のエレベーターの運行状態表示装置は、上記第１の実施形態と同様に、シミュレーターとしてだけでなく、エレベーターの実機運行時の評価装置等としても適用することができる。
【００７５】
［運行状態表示装置の構成］
まず、図８を参照して、本実施形態に係るエレベーターの運行状態表示装置の構成について説明する。図８は、本実施形態のエレベーターの運行状態表示装置２００の主な機能構成を示すブロック図である。なお、図８に示す運行状態表示装置２００において、図１に示す上記第１の実施形態の運行状態表示装置１００の構成と同様の構成には同じ符号を付して示し、同様の構成についての説明を省略する。
【００７６】
エレベーターの運行状態表示装置２００は、図８に示すように、演算部１と、表示部２と、データ管理部２０１とを備える。なお、エレベーターの運行状態表示装置２００は、上記第１の実施形態と同様に、例えば、図２で説明したようなコンピューター装置等の計算機Ｃで構成することができる。
【００７７】
また、本実施形態では、データ管理部２０１は、ビル運行状態管理部２０２と、モデル変更要求リスト格納部３２と、要素モデル格納部３３とを有する。図８と図１との比較から明らかなように、本実施形態の運行状態表示装置２００は、第１の実施形態の運行状態表示装置１００において、ビル運行状態管理部２０２内に、さらに、人到着情報格納部２０３及び建築レイアウト情報格納部２０４を設けたものである。
【００７８】
人到着情報格納部２０３には、各時刻においてエレベーター前（エレベーターホール）に到着している人（利用者等）の数の情報（人到着情報）が格納される。この人到着情報は、エレベーターの実機運行中であれば、エレベーターホール内に設置された監視カメラの映像を解析することにより取得することができる。また、エレベーターの運行シミュレーションであれば、予め決められた人到着情報を直接設定することができる。
【００７９】
建築レイアウト情報格納部２０４には、例えば、ビルの建築図面や建築データなどに基づいて生成される、ビル内の人の移動空間の広さ、形状などを詳細に反映した情報（建築レイアウト情報）が格納される。
【００８０】
［モデル変更要求リストの構成］
次に、図９を参照して、本実施形態のモデル変更要求リスト格納部３２に格納されるモデル変更要求リスト（テーブル）の一例を説明する。図９に示すモデル変更要求リストは、上記第１の実施形態と同様に、エレベーターの待ち時間が上昇するという事象の発生原因を推定することを目的とした場合に使用されるモデル変更要求リストの一例である。
【００８１】
本実施形態においても、上記第１の実施形態（図３参照）と同様に、モデル変更要求リストでは、各リスト番号（Ｎｏ．「１」〜「７」）において、モデル変更条件と、モデル変更要求の内容とを１つの組みとしたデータセットが規定される。なお、本実施形態においても、モデル変更条件は、ビル運行状態管理部２０２から取得できる情報に基づいて検出（条件の成立／不成立を判定）可能なものであれば、任意に設定することできる。図９と図３との比較から明らかなように、本実施形態のモデル変更要求リストは、上記第１の実施形態のモデル変更要求リストにおいて、リスト番号「６」及び「７」の各データセットを追加したものである。
【００８２】
本実施形態のモデル変更要求リストにおいて、リスト番号「１」〜「５」で規定するモデル変更条件、並びに、当該モデル変更条件成立時の変更モデル及び変更内容は、上記第１の実施形態で規定するリスト番号「１」〜「５」のそれらと同様である。また、リスト番号「６」及び「７」で規定されるモデル変更条件は、ビル運行状態管理部２０２内に設けられた人到着情報格納部２０３に格納された人到着情報に基づいて検出可能な条件である。
【００８３】
リスト番号「６」のデータセットでは、「交通計算値より多くの人が到着」というモデル変更条件に対して、変更モデル及び変更内容としてそれぞれ「人モデルの下の床モデル」及び「モデル色を薄赤色に変更」が対応付けられる。それゆえ、リスト番号「６」のモデル変更条件成立時には、運行画面２１上において事象（問題）発生場所における人モデルの下の床モデルの色が薄赤色に変化する。
【００８４】
リスト番号「６」に規定のモデル変更条件の成立／不成立は、人到着情報格納部２０３に格納された各時刻における人到着情報に基づいて判別される。具体的には、実際のエレベーター前（扉の前）への到着人数と、エレベーターの定員、速度、エレベーターの台数により計算される５分間の輸送可能人数（交通計算値）とを比較して、エレベーター前への到着人数が多いか否かが検出される。このようなリスト番号「６」のモデル変更条件を設けることにより、例えば、エレベーターの基礎的な輸送力に問題がないかどうかを検出することができる。
【００８５】
また、リスト番号「７」のデータセットでは、「エレベーター乗車時に人の乗り遅れが発生」というモデル変更条件に対して、変更モデル及び変更内容としてそれぞれ「ドアモデルの前の床モデル」及び「モデル色を薄赤色に変更」が対応付けられる。それゆえ、リスト番号「７」のモデル変更条件成立時には、運行画面２１上において事象（問題）発生場所となるドアモデルの前の床モデルの色が薄赤色に変化する。
【００８６】
リスト番号「７」に規定のモデル変更条件の成立／不成立は、エレベーターのドアが開いて乗車できる状態となった後、当該エレベーターのドアに向かう人がいるにも関わらずドアが閉まったか否かを検出することにより判別される。この判定は、エレベーター運行状態格納部３４に格納されるエレベーターのドアの開閉状態（戸開状態）に関する情報、エレベーターホールの監視カメラの映像の解析結果（人の移動方向に関する情報）等に基づいて行われる。このようなリスト番号「７」のモデル変更条件を設けることにより、乗り遅れによる利用者の待ち時間上昇という事象の発生を検出することができる。なお、この例でいう「ドアモデルの前の床モデル」とは、乗り遅れが発生しているエレベーターホールの床モデル全体ではなく、この床モデルのうち、乗り遅れが発生しているエレベーターのドア（扉）の前面の一部の指定範囲のモデル領域のみのことである。
【００８７】
なお、図９に示す例では、要素モデルの変更後の色として、薄赤色、青色又は薄黄色が設定されているので、要素モデルの変更前（通常時）の色としては、これらの変更後の色以外の任意の色を設定することができる。
【００８８】
［運行画面の変更表示例］
図１０に、本実施形態のエレベーターの運行状態表示装置２００において、所定の事象（問題）発生時に運行画面２１に表示されるエレベーターの運行状態の表示例を示す。図１０には、上記第１の実施形態（図４及び図７）の例と同様に、ビル内に設置されているエレベーターの台数が３台（エレベーターＥ１、Ｅ２、Ｅ３）であり、ビルのフロア数が３階である例を示す。なお、図１０に示す運行画面２１の例では、説明の便宜上、各エレベーターの昇降路を表す昇降路モデルの図示を省略する。
【００８９】
この例では、運行画面２１におけるかごモデル４０、ドアモデル４１及び人モデル４３の表示態様は、上記第１の実施形態の例（図４及び図７）で示した運行画面２１上の表示態様を同様とする。しかしながら、この例では、各フロアのエレベーターホールの床モデル２１１，２１２，２１３の表示態様を、建築レイアウト情報格納部２０４に格納された建築レイアウト情報に基づいて表示されたものにする。それゆえ、図９と図４及び図７との比較から明らかなように、本実施形態では、各フロアのエレベーターホールの床モデル２１１，２１２，２１３の表示態様は、実際の各エレベーターホールの広さ、形状などを反映した表示態様となる。
【００９０】
図１０に示す運行画面２１の表示例は、２階に位置するエレベーターＥ１において、図９に示すモデル変更要求リスト中のリスト番号「７」のモデル変更条件に相当する事象（問題）が発生した場合の表示例である。すなわち、２階に到着したエレベーターＥ１において人の乗り遅れの発生が検出された場合の運行画面２１の表示例である。
【００９１】
このような事象が発生した場合、モデル変更要求リスト中のリスト番号「７」（モデル変更条件）に対応する変更モデル及び変更内容に関する情報が含まれたモデル変更要求信号が、モデル描画部１２に入力される。すなわち、２階のエレベーターＥ１のドアモデル４１の前の床モデルの色を薄赤色に変更する旨の情報が含まれたモデル変更要求信号が、モデル描画部１２に入力される。そして、モデル描画部１２は、このモデル変更要求信号に基づいて、図１０に示すように、２階のエレベーターホール内においてエレベーターＥ１のドアモデル４１の前の床モデル２１２の一部の指定範囲２１２ａの色を薄赤色に変更して運行画面２１上に描画する。なお、図１０では、説明の都合上、２階のエレベーターホール内における床モデル２１２の一部の指定範囲２１２ａの色の変更をハッチングで示す。
【００９２】
これにより、所定の事象の発生要因となる要素モデルを運行画面２１上で強調表示することができ、運行画面２１の確認者は、例えば、エレベーターＥ１の利用者の乗り遅れの発生及びその発生場所を従来に比べて円滑に確認することができる。それゆえ、本実施形態のエレベーターの運行状態表示装置２００においても、上記第１の実施形態と同様に、所定の事象の発生原因の特定から改善策の策定までのプロセスをより円滑に行い、このプロセスにかかる時間及び工数を削減することができる。
【００９３】
＜各種変形例及び応用例＞
以上、本発明の各種実施形態に係るエレベーターの運行状態表示装置及び運行状態表示方法について説明したが、本発明は上記各種実施形態に限定されない。本発明の構成は、特許請求の範囲に記載した本発明の要旨を逸脱しない限りその他種々の変形例、応用例の構成を取り得る。例えば、次のような各種変形例及び応用例も本発明に含まれる。
【００９４】
例えば、上記各種実施形態では、エレベーターの運行状態表示装置に、演算部、表示部及びデータ管理部が含まれる構成例を説明したが、本発明はこれに限定されない。例えば、エレベーターの運行状態表示装置を演算部及び表示部で構成し、データ管理部（情報格納部）を別体で構成し、演算部とデータ管理部との間をネットワークで接続するような構成してもよい。すなわち、上述した各種実施形態に係るエレベーターの運行状態表示機能を、運行状態表示システムで実現してもよい。このような構成のエレベーターの運行状態表示システムにおいても、上記各種実施形態と同様の効果が得られる。
【００９５】
また、例えば、上記各種実施形態では、ビル内にエレベーターが設置されている例を説明したが、本発明はこれに限定されない。例えば、上述したビル内の設備の運行状態表示装置は、例えば、ビル内にエレベーターとエスカレーターとが併設されているような施設にも適用可能であり、同様の効果が得られる。
【００９６】
さらに、上述したエレベーターの運行状態表示装置（運行状態表示システム）の制御に係る各構成、機能、処理部等は、それらの一部又は全部を、例えば集積回路で設計する等によりハードウェアで実現されてもよい。また、上述した制御に係る各構成、機能等は、プロセッサがそれぞれの機能を実現するプログラムを解釈し、実行することにより、すなわちソフトウェアにより実現されてもよい。なお、各機能を実現するプログラム、テーブル、ファイル等の情報（データ）は、メモリやハードディスク、ＳＳＤ等の記録装置、又は、ＩＣカード、ＳＤカード、ＤＶＤ等の記録媒体に格納することができる。
【符号の説明】
【００９７】
１…演算部、２…表示部、３，２０１…データ管理部、１１…モデル変更要求生成部、１２…モデル描画部、２１…運行画面、３１，２０２…ビル運行状態管理部、３２…モデル変更条件リスト格納部、３３…要素モデル格納部、３４…エレベーター運行状態格納部、４０…かごモデル、４１…ドアモデル、４２，２１１，２１２，２１３…床モデル、４３…人モデル、１００，２００…運行状態表示装置（運行状態表示システム）、２０３…人到着情報格納部、２０４…建築レイアウト情報格納部
【図１】
2020169083.tif 000003
【図２】
2020169083.tif 000004
【図３】
2020169083.tif 000005
【図４】
2020169083.tif 000006
【図５】
2020169083.tif 000007
【図６】
2020169083.tif 000008
【図７】
2020169083.tif 000009
【図８】
2020169083.tif 000010
【図９】
2020169083.tif 000011
【図１０】
2020169083.tif 000012